(57)【要約】【課題】  床暖房パネルの温水流路に詰まった異物を確実に除去することができる異物除去装置を提供すること。【解決手段】  床暖房パネル４の温水流路１８に圧縮空気を供給するための圧縮空気供給源５４と、この温水流路１８に水を供給するための水供給源５６と、を備えた床暖房パネルの異物除去装置。圧縮空気供給源５４からの圧縮空気が温水流路１８に供給され、水供給源５６からの水が、温水流路１８に供給される圧縮空気に送り込まれ、圧縮空気の流れに乗せて粒状の水が温水流路１８を通して搬送され、水による衝突と圧縮空気及び水による乱流が詰まった異物に作用し、これらの作用によって異物が外部に排出される。【選択図】      図２
2005055038.tif 000002
【特許請求の範囲】
【請求項１】
床に設置される床暖房パネルに設けられた温水流路に詰まった異物を除去する異物除去方法であって、
前記温水流路に圧縮空気を流し、この圧縮空気の流れに水を送り込み、圧縮空気の流れに乗せて水を搬送し、前記温水流路を流れる圧縮空気と水の作用によって詰まった異物を除去することを特徴とする床暖房パネル温水流路の異物除去方法。
【請求項２】
前記床暖房パネルの前記温水流路の温水供給部を開放状態に保ち、前記温水流路の温水戻り部から前記温水供給部に向けて圧縮空気を流すとともに、この圧縮空気の流れに水を送り込むことを特徴とする請求項１に記載の床暖房パネル温水流路の異物除去方法。
【請求項３】
前記床暖房パネルは温水を分配するためのヘッダーを含んでおり、前記ヘッダーの供給流路が前記温水流路の前記温水供給部の一部を構成し、前記ヘッダーの戻り流路が前記温水流路の前記温水戻り部の一部を構成し、前記ヘッダーの前記戻り流路から前記供給流路に向けて圧縮空気を流すとともに、この圧縮空気の流れに水を送り込むことを特徴とする請求項２に記載の床暖房パネル温水流路の異物除去方法。
【請求項４】
暖房用温水を流す温水流路を備えた床暖房パネルに詰まった異物を除去する装置であって、
前記床暖房パネルの前記温水流路に圧縮空気を供給するための圧縮空気供給源と、前記温水流路に水を供給するための水供給源と、を備え、
前記圧縮空気供給源からの圧縮空気が前記温水流路に供給され、前記水供給源からの水が前記温水流路に供給される圧縮空気に送り込まれ、圧縮空気の流れに乗せて水が前記温水流路を通して搬送されることを特徴とする床暖房パネル温水流路の異物除去装置。
【請求項５】
前記圧縮空気供給源及び前記水供給源は、接続治具を介して前記床暖房パネルの前記温水流路に接続され、前記接続治具は、前記温水流路に接続される接続流路と、前記接続流路から分岐して前記圧縮空気供給源に接続される空気供給流路と、前記接続流路から分岐して前記水供給源に接続される水供給流路と、前記空気供給流路に配設された第１流量調整弁と、前記水供給流路に配設された第２流量調整弁と、を備えていることを特徴とする請求項４に記載の床暖房パネル温水流路の異物除去装置。
【請求項６】
床に設置される床暖房パネルに設けられた温水流路に詰まった異物を除去する異物除去方法であって、
前記床暖房パネルの前記温水流路の温水供給部及び温水戻り部を熱源機からの温水往き流路及び温水戻り流路から取り外すステップと、前記温水流路に圧縮空気を供給するステップと、前記温水流路に供給する圧縮空気の流れに水を供給するステップと、を含むことを特徴とする床暖房パネル温水流路の異物除去方法。
【発明の詳細な説明】
【技術分野】
【０００１】
本発明は、暖房用床暖房パネルの温水流路に詰まった異物を除去する床暖房パネル温水流路の異物除去方法及び異物除去装置に関する。
【背景技術】
【０００２】
温水を利用して床暖房する床暖房装置が広く実用に供されている。この床暖房装置は床に設置される床暖房パネルを備え、この床暖房パネルに温水流路を規定する温水チューブが内蔵され、温水流路の温水供給部が温水往き流路を介して熱源機の供給側に接続され、温水流路の温水戻り部が温水戻り流路を介して熱源機の戻り側に接続されている（例えば、特許文献１参照）。この床暖房装置においては、熱源機からの温水が温水往き流路を介して床暖房パネルに供給され、この温水流路を通して流れる。このとき、温水からの熱は床暖房パネル表面に伝達され、温水流路を流れる温水の熱を利用して暖房される。そして、床暖房パネルの温水流路を流れた温水は、温水戻り流路を通して熱源機に戻り、このように床暖房パネルの温水流路を通して温水が循環されることによって、床暖房パネルが暖められる。
【０００３】
【特許文献１】特開平８−２７８０２３６号公報
【発明の開示】
【発明が解決しようとする課題】
【０００４】
このような床暖房装置においては、床暖房パネルの温水チューブ及びヘッダーなどの温水流路径が小さく、従って長期に渡って使用していると、塵などによって温水流路が詰まり、床暖房パネルの温水流路を通しての温水の流れが悪くなることがある。温水の流れが悪くなると、床暖房装置の暖房能力が低下し、床暖房パネルを所要の通りに暖房することができなくなる。
【０００５】
このようなことから、温水の流れが悪くなると、床暖房パネルの温水流路に水又は空気を供給して異物の除去を行っている。しかし、水を供給する場合、水道水を直圧により温水流路に注入し、水道水の水圧を利用して除去するが、床暖房パネルの流体流路の長さが長く、またその流路断面積も小さいので、詰まった異物に充分な圧力が作用せず、異物を確実に取り除くことが難しいという問題がある。また、空気を供給する場合、コンプレッサからの圧縮空気を温水流路に送給し、圧縮空気の圧力を利用して除去するが、異物との間に存在する隙間から圧縮空気が漏れ、この場合にも異物に充分な圧力が作用せず、異物を確実に取り除くことが難しいという問題がある。詰まった異物を取り除くことができないと、床暖房パネル全体を取り換えるようになり、それ故に、多大な補修費用が発生する。
【０００６】
一方、排水流路などに詰まった異物を除去するための装置として、ピストン栓を上下動させて排水管内に急激な水圧変化を起こさせ、この水圧変化を利用して異物を除去するようにしたものも知られているが、このような装置を床暖房パネルの異物除去に適用しても、温水流路の長さが長く、その流路断面積も小さいので、上述したと同様に、充分な水圧を詰まった異物に作用させることができず、異物を確実に取り除くことが難しい。
【０００７】
本発明の目的は、床暖房パネルの温水流路に詰まった異物を確実に除去することができる床暖房パネル温水流路の異物除去方法及び異物除去装置を提供することである。
【課題を解決するための手段】
【０００８】
本発明の請求項１に記載の床暖房パネル温水流路の異物除去方法は、床に設置される床暖房パネルに設けられた温水流路に詰まった異物を除去する異物除去方法であって、
前記温水流路に圧縮空気を流し、この圧縮空気の流れに水を送り込み、圧縮空気の流れに乗せて水を搬送し、前記温水流路を流れる圧縮空気と水の作用によって詰まった異物を除去することを特徴とする。
【０００９】
また、本発明の請求項２に記載の床暖房パネル温水流路の異物除去方法では、前記床暖房パネルの前記温水流路の温水供給部を開放状態に保ち、前記温水流路の温水戻り部から前記温水供給部に向けて圧縮空気を流すとともに、この圧縮空気の流れに水を送り込むことを特徴とする。
【００１０】
また、本発明の請求項３に記載の床暖房パネル温水流路の異物除去方法では、前記床暖房パネルは温水を分配するためのヘッダーを含んでおり、前記ヘッダーの供給流路が前記温水流路の前記温水供給部の一部を構成し、前記ヘッダーの戻り流路が前記温水流路の前記温水戻り部の一部を構成し、前記ヘッダーの前記戻り流路から前記供給流路に向けて圧縮空気を流すとともに、この圧縮空気の流れに水を送り込むことを特徴とする。
【００１１】
また、本発明の請求項４に記載の床暖房パネル温水流路の異物除去装置は、暖房用温水を流す温水流路を備えた床暖房パネルに詰まった異物を除去する異物除去装置であって、
前記温水流路に圧縮空気を供給するための圧縮空気供給源と、前記温水流路に水を供給するための水供給源と、を備え、
前記圧縮空気供給源からの圧縮空気が前記温水流路に供給され、前記水供給源からの水が前記温水流路に供給される圧縮空気に送り込まれ、圧縮空気の流れに乗せて水が前記温水流路を通して搬送されることを特徴とする。
【００１２】
また、本発明の請求項５に記載の床暖房パネル温水流路の異物除去装置では、前記圧縮空気供給源及び前記水供給源は、接続治具を介して前記床暖房パネルの前記温水流路に接続され、前記接続治具は、前記温水流路に接続される接続流路と、前記接続流路から分岐して前記圧縮空気供給源に接続される空気供給流路と、前記接続流路から分岐して前記水供給源に接続される水供給流路と、前記空気供給流路に配設された第１流量調整弁と、前記水供給流路に配設された第２流量調整弁と、を備えていることを特徴とする。
【００１３】
また、本発明の請求項６に記載の床暖房パネル温水流路の異物除去方法は、床に設置される床暖房パネルに設けられた温水流路に詰まった異物を除去する異物除去方法であって、
前記床暖房パネルの前記温水流路の温水供給部及び温水戻り部を熱源機からの温水往き流路及び温水戻り流路から取り外すステップと、前記温水流路に圧縮空気を供給するステップと、前記温水流路に供給する圧縮空気の流れに水を供給するステップと、を含むことを特徴とする。
【発明の効果】
【００１４】
本発明の請求項１及び請求項６に記載された異物除去方法によれば、床暖房パネルの温水流路が熱源機の温水往き流路及び温水戻り流路から取り外され、かく取り外された状態の温水流路に圧縮空気が供給され、圧縮空気が温水流路を通して流れている状態において、この空気流に水が送り込まれる。従って、床暖房パネルの温水流路を流れる圧縮空気流に乗って水が搬送され、この水は小さな粒状になって連続的に又は断続的に圧縮空気流とともに流れる。そして、かく搬送される水が詰まった異物に衝突するようになり、異物に大きな衝撃力を作用させて温水流路から除去することができる。また、詰まった異物には、上述した衝突作用とともに、圧縮空気と水（小さな粒状の水）とが乱流状態で作用するので、詰まった異物を乱流状態の流れとともに外部に流すことができ、異物を確実に除去することができる。
【００１５】
また、本発明の請求項２に記載された異物除去方法によれば、床暖房パネルの温水流路の温水供給部が開放された状態に保持され、この温水流路の温水戻り部から圧縮空気と水が供給される。床暖房パネルを暖房するときには、暖房用温水は温水供給部から温水戻り部に向けて流れるので、異物の詰まりは温水供給部に発生することが多く、このようなことから、温水流路の温水戻り部から温水供給部に向けて圧縮空気及び水が供給され、このように圧縮空気及び水を流すことによって、詰まった異物を容易に除去することができ、また除去した異物を開放された温水供給部から外部に排出することができる。
【００１６】
また、本発明の請求項３に記載された異物除去方法によれば、床暖房パネルには温水を分配するためのヘッダーが設けられており、熱源機からの温水はヘッダーの供給流路を通して床暖房パネルの温水流路に供給され、温水流路を通して流れた温水はヘッダーの戻り流路を通して熱源機に戻される。このようなヘッダーを備えたものでは、かかるヘッダーにおいて異物が詰まることが多く、このようなことから、ヘッダーの戻り流路から供給流路に向けて圧縮空気及び水が供給され、このように圧縮空気及び水を流すことによって、詰まった異物を容易に除去することができる。
【００１７】
また、本発明の請求項４に記載された異物除去装置によれば、圧縮空気供給源及び水供給源が装備され、圧縮空気供給源からの圧縮空気及び水供給源からの水が床暖房パネルの温水流路に供給されるので、温水流路を流れる圧縮空気流に乗って水が搬送され、この水は小さな粒状になって連続的に又は断続的に圧縮空気とともに流れる。そして、かく搬送される水が詰まった異物に衝突するようになり、従って、異物に大きな衝撃力を作用させて温水流路から除去することができるとともに、かかる流れによって異物を外部に排出することができる。
【００１８】
また、本発明の請求項５に記載された異物除去装置によれば、圧縮空気供給源及び水供給源は接続治具を介して床暖房パネルの温水流路に接続される。接続治具は、温水流路に接続される接続流路から分岐する空気供給流路及び水供給流路を有し、圧縮空気供給源からの圧縮空気は空気供給流路を通して接続流路に供給されるとともに、水供給源からの水は水供給流路を通して接続流路に供給されるので、温水流路に流れる圧縮空気流に水を乗せて搬送させることができる。また、空気供給流路に第１流量調整弁が配設され、水供給流路に第２流量調整弁が配設されているので、第１及び第２流量調整弁を調整することによって、温水流路に送給される圧縮空気供給量及び水供給量を所要の通りに調整することができる。
【発明を実施するための最良の形態】
【００１９】
以下、添付図面を参照して、本発明に従う床暖房パネル温水流路の異物除去方法及び異物除去装置の最良の形態について説明する。図１は、床暖房パネルを装備した床暖房装置の一実施形態を簡略的に示す部分斜視図であり、図２は、図１の床暖房装置に一実施形態の異物除去装置を適用した状態を示す簡略図であり、図３は、異物除去作業の手順を示すフローチャートである。
【００２０】
図１において、図示の床暖房装置２は、床に設置される床暖房パネル４（図１において、床暖房パネルを簡略的に小さく示している）と、暖房用温水を発生する熱源機６とを備え、床暖房パネル４が第１パネル体８及び第２パネル体１０から構成されている。第１及び第２パネル体８，１０は、床に設置されるパネル本体１２と、このパネル体１２の表面に設けられた表面仕上げ材１４とから構成され、パネル本体１２の表面側（表面仕上げ材１４が配設される面側）に温水チューブ１６が所要の通りに埋設されている。温水チューブ１６は温水流路１８を規定し、かかる温水流路１８を通して暖房用温水が送給される。
【００２１】
床暖房パネル４は、暖房用温水を分配するためのヘッダー２０を備えている。図示のヘッダー２０は矩形状のヘッダー本体２２を備え、このヘッダー本体２２に供給流路２４及び戻り流路２６が設けられている。また、ヘッダー本体２２の一側面には供給接続部２８及び戻り接続部３０が設けられ、ヘッダー本体２２の他の１側面には第１供給部３２及び第１戻り部３４が設けられ、ヘッダー本体２２の更に他の一側面には第２供給部３６及び第２戻り部３８が設けられている。供給接続部２８は供給流路２４を介して第１及び第２供給部３２，３６に連通され、戻り接続部３０は戻り流路２６を介して第１及び第２戻り部３４，３８に連通されている。
【００２２】
第１パネル体８の温水チューブ１６の一端部はヘッダー２０の第１供給部３２に接続され、温水チューブ１６の他端部はヘッダー２０の第１戻り部３４に接続され、また第２パネル体１０の温水チューブ１６の一端部はヘッダー２０の第２供給部３６に接続され、この温水チューブ１６の他端部はヘッダー２０の第２戻り部３８に接続されている。
【００２３】
また、熱源機６の温水供給側とヘッダー２０の供給接続部２８とは、温水往き流路を構成する温水往き配管４０を介して接続され、熱源機６の温水戻り側とヘッダー２０の戻り接続部３０とは、温水戻り流路を構成する温水戻り配管４２を介して接続されている。このような熱源機６は、燃料用ガス（例えば都市ガス）、燃料用油による燃焼加熱により、電気による加熱により、又はエンジンや燃料電池の排熱により温水を生成するものでよい。
【００２４】
このように構成されているので、熱源機６からの暖房用温水は、温水往き配管４０（温水往き流路）を介してヘッダー２０の供給接続部２８に送給され、供給流路２４を通して分流されて第１及び第２供給部３２，３６に送給される。第１供給部３２に送給された温水は、第１パネル体８の温水チューブ１６を通してヘッダー２０の第１戻り部３４から戻り流路２６に流れ、また第２供給部３６に送給された温水は、第２パネル体１０の温水チューブ１６を通してヘッダー２０の第２戻り部３８から戻り流路２６に流れる。そして、このようにヘッダー２０の戻り流路２６に戻った温水は、戻り接続部３８から温水戻り配管４２（温水戻り流路）を通して熱源機６に戻り、この熱源機６で再び温められた後に再びヘッダー２０の供給接続部２８に送給される。このように、熱源機６からの温水はヘッダー２０及び床暖房パネル４（第１及び第２パネル体８，１０）を通して循環され、床暖房パネル４の温水チューブ１６を流れる間に、温水から伝達される熱によってその表面が温められる。
【００２５】
この実施形態では、第１及び第２パネル体８，１０の温水チューブ１６の一端部及びヘッダー２０の供給流路２４（供給接続部２８並びに第１及び第２供給部３２，３６を含む）が床暖房パネル４の温水流路１８の温水供給部を構成し、それらの温水チューブ１６の他端部及びヘッダー２０の戻り流路２６（戻り接続部３０並びに第１及び第２戻り部３４，３８を含む）が床暖房パネル４の温水流路１８の温水戻り部を構成する。
【００２６】
このような床暖房装置２では、長期にわたって使用していると、床暖房パネル４の温水流路１８、特にヘッダー２０の供給接続部２８に塵などの異物が詰まることがあり、詰まった異物を除去する場合、図２に示す異物除去装置５２が用いられる。図２を参照して、図示の異物除去装置５２は、例えばコンプレッサから構成される圧縮空気供給源５４と、例えば水圧ポンプから構成される水供給源５６とを備え、圧縮空気供給源５４及び水供給源５６が接続治具５８を介して床暖房パネル４の温水流路１８に接続される。図１と図２とを対比することによって容易に理解される如く、異物の除去作業を行うときには、熱源機６と床暖房パネル４との接続が解除され、例えば温水往き配管４０及び温水戻り配管４２がヘッダー２０の供給接続部２８及び戻り接続部３０から外され、供給接続部２８は開放された状態に保持され、戻り接続部３０に接続治具５８が着脱可能に取り付けられる。
【００２７】
図示の接続治具５８は、ヘッダー２０の戻り接続部３０に接続される接続流路６０と、この接続流路６０から分岐して延びる空気供給流路６２及び水供給流路６４を有し、空気供給流路６２が圧縮空気供給源５４に接続され、水供給流路６４が水供給源５６に接続されている。空気供給流路６２には第１流量調整弁６６が設けられ、水供給流路６４には第２流量調整弁６８が設けられている。更に、空気供給流路６２の第１流量調整弁６６の上流側には、圧縮空気（圧縮空気と水の混合物）の逆流を防止するための第１逆止弁７０が設けられ、また水供給流路６４の第２流量調整弁６８の上流側には、水（圧縮空気と水の混合物）の逆流を防止するための第２逆止弁７２が設けられている。
【００２８】
接続治具５８がこのように構成されているので、圧縮空気供給源５４からの圧縮空気は、空気供給流路６２を通して接続流路６０に流れ、この接続流路６０を通してヘッダー２０の戻り接続部３０に供給される。また、水供給源５６からの水（圧縮空気の流れに注入されるので、圧縮空気の圧力よりも高い所定圧力状態に保たれる）は、水供給流路６４を通して接続流路６０に流れ、この接続流路６０において圧縮空気流の流れの中に注入される。このような水の注入は、一サイクルの注入時間が例えば２〜１０秒程度となるようにして異物が除去されるまで間欠的に複数回行われ、かく注入された水は小さな粒状になって圧縮空気の流れに乗って接続流路６０を通してヘッダー２０の戻り接続部３０に供給される。このとき、第１流量調整弁６６を開閉操作することによって、空気供給流路６２を流れる圧縮空気供給量を調整することができ、また第２流量調整弁６８を開閉操作することによって、水供給流路６４を流れる水供給量を調整することができ、これによって、圧縮空気と水の混合状態を調整することができる。
【００２９】
このような接続治具５８においては、接続流路６０を規定する一部を透明乃至半透明に形成するのが望ましく、このように構成することによって、透明乃至半透明部分を通して接続流路６０を流れる圧縮空気と水の混合状態を外部から見ることができ、第１及び第２流量調整弁６８，７０を操作して最適な混合状態に容易に調整することができる。尚、水の供給量が少ないと、圧縮空気に乗って搬送される水が少なくなって、詰まった異物に充分な衝撃力を作用させることができなくなる一方、水の供給量が過剰になると、圧縮空気の流れに乗せて水を小さな粒状状態で搬送することが難しく、詰まった異物に水滴による衝撃力を作用させることができなくなり、このようなことから、水の混合比率は、圧縮空気の供給量の１０〜３０％であるのが好ましい。
【００３０】
床暖房パネル４の温水流路１８に異物が詰まって暖房能力が低下したときなどにおいては、次の通りにして異物の除去が行われる。主として図２及び図３を参照して、異物を除去する場合、床暖房パネル４と熱源機６との接続を解除する（接続解除ステップＳ１）。この解除は、例えば、熱源機６から延びる温水往き配管４０及び温水戻り配管４２をヘッダー２０の供給接続部２８及び戻り接続部３０から取り外せばよい。そして、床暖房パネル４の温水流路１８の温水戻り部に接続治具５８を接続する（治具接続ステップＳ２）。この接続治具５８の接続は、接続治具５８の接続流路６０をヘッダー２０の戻り接続部３０に接続すればよく、このように接続した状態においては、ヘッダー２０の供給接続部２８は外部に開放された状態に保たれる。
【００３１】
このように接続治具５８を接続した後、圧縮空気供給源５４から圧縮空気を供給する（空気供給ステップ）。この圧縮空気の供給は、第１流量調整弁６６を所定開度開放して行い、かくすると、圧縮空気供給源５４からの圧縮空気は、接続治具５８の空気供給流路６２及び接続流路６０を通ってヘッダー２０の戻り接続部３０に送給され、更にヘッダー２０の戻り流路２６並びに第１及び第２戻り部３４，３８を通して第１及び第２パネル体８，１０の温水チューブ１６を流れ、その後ヘッダー２０の第１及び第２供給部３２，３６並びに供給流路２４を通して供給接続部２８から外部に排出される。
【００３２】
次に、このように圧縮空気を流している状態において、この圧縮空気の流れに水を供給する（水供給ステップＳ４）。この水の供給は、第２流量調整弁６８を所定開度開放して行い、かくすると、水供給源５６からの水が水供給流路６４を通して空気供給流路６２から接続流路６０に流れる圧縮空気に注入され、圧縮空気に水が所要の通りに混合される。かく混合されると、注入された水が小さな粒状となって圧縮空気の上述した流れに乗り、ヘッダー２０の戻り流路２４を通り、床暖房パネル４の温水流路１８を通して搬送される。その後、必要に応じて圧縮空気と水との混合状態を見ながら圧縮空気及び水の供給量を調整する（供給調整ステップＳ５）。圧縮空気の供給量の調整は、第１流量調整弁６６を開閉操作することによって行い、水の供給量の調整は、第２流量調整弁６８を開閉操作することによって行う。
【００３３】
このようにして圧縮空気の流れに乗って粒状の水が搬送されると、搬送される水が詰まった異物に衝突し、その衝突によって大きな力が異物に作用するとともに、圧縮空気と水との乱流もこの異物に作用し、衝突作用及び乱流作用により異物が移動して外部に排出され、このようにして詰まった異物を確実に除去することができる（異物除去ステップＳ６）。床暖房パネル４においては、異物はヘッダー２０の供給接続部２８又はその近傍に詰まる傾向にあり、それ故に、圧縮空気及び水をヘッダー２０の戻り接続部３０からパネル体８，１０の温水チューブ１６を通してその供給接続部２６に向けて流すことによって、詰まった異物を容易に且つ確実に除去することができる。
【００３４】
以上、本発明に従う異物除去方法及び異物除去装置の実施形態について説明したが、本発明はかかる実施形態に限定されず、本発明の範囲を逸脱することなく種々の変形乃至修正が可能である。
【００３５】
例えば、上述した実施形態では、接続治具５８の空気供給流路６２に第１流量調整弁６６を、その水供給流路６４に第２流量調整弁６８を設けているが、必ずしも第１及び第２流量調整弁６６，６８の双方を設ける必要はなく、これら流量調整弁６６，６８のいずれか一方を、或いはこれらの双方を省略するようにしてもよい。
【００３６】
また、例えば、上述した実施形態では、床暖房パネル４を第１及び第２パネル体８，１０の二つのパネル体から構成し、熱源機６からの温水をヘッダー２０によってこれらパネル体８，１０の温水チューブ１６に分配しているが、床暖房パネルを三つ以上のパネル体から構成し、熱源機からの温水をヘッダーを介してこれらパネル体の温水チューブに分配するようにしてもよい。或いは、床暖房パネルを単一のパネル体から構成し、熱源機からの温水をヘッダーを用いることなくパネル体の温水チューブに供給するようにしてもよい。
【産業上の利用可能性】
【００３７】
長期にわたって使用していると床暖房パネルの温水流路に異物が詰まって暖房能力が低下することがあるが、このようなとき、異物を除去して床暖房パネルの暖房能力を元の状態にすることができ、床暖房装置のメンテナンスに有益なものである。また、異物の除去に圧縮空気及び水を利用して行うので、床暖房パネルの設置現場で簡単に且つ容易に除去作業を行うことが可能となる。
【図面の簡単な説明】
【００３８】
【図１】床暖房パネルを装備した床暖房装置の一実施形態を簡略的に示す部分斜視図である。
【図２】図１の床暖房装置に一実施形態の異物除去装置を適用した状態を示す簡略図である。
【図３】異物除去作業の手順を示すフローチャートである。
【符号の説明】
【００３９】
２  床暖房装置
４  床暖房パネル
６  熱源機
８，１０  パネル体
１８  温水流路
２０  ヘッダー
２４  供給流路
２６  戻り流路
２８  供給接続部
３０  戻り接続部
５２  異物除去装置
５４  圧縮空気供給源
５６  水供給源
５８  接続治具
【図１】
2005055038.tif 000003
【図２】
2005055038.tif 000004
【図３】
2005055038.tif 000005